(57)【要約】【課題】立体視画像において位置を指し示す位置情報を適切に表示すること。【解決手段】実施形態の画像表示装置は、表示制御部と、位置情報制御部とを備える。表示制御部は、３次元画像データから生成された視差画像群を用いて立体視画像を表示部に３次元表示するとともに、当該立体視画像中において位置を指し示す位置情報を当該表示部に３次元表示する。位置情報制御部は、前記位置情報を前記立体視画像において奥行き方向に移動する指示を操作者から受付けた場合に、前記視差画像群に含まれる各視差画像内の位置情報を、前記操作者から受付けた移動量に応じて各視差画像内で移動させる。【選択図】図１
2014113325.tif 000002
【特許請求の範囲】
【請求項１】
３次元画像データから生成された視差画像群を用いて立体視画像を表示部に３次元表示するとともに、当該立体視画像において位置を指し示す位置情報を当該表示部に３次元表示する表示制御部と、
前記位置情報を前記立体視画像において奥行き方向に移動する指示を操作者から受付けた場合に、前記視差画像群に含まれる各視差画像内の位置情報を、前記操作者から受付けた移動量に応じて各視差画像内で移動させる位置情報制御部と
を備えたことを特徴とする画像表示装置。
【請求項２】
前記位置情報制御部は、操作者の視点位置と、操作者から受け付けた移動量と、各視差画像内において位置情報が位置付けられている座標とに基づいて、各視差画像内において位置情報の移動先となる座標を算出する
ことを特徴とする請求項１に記載の画像表示装置。
【請求項３】
前記位置情報制御部は、前記視差画像群のうち少なくともひとつの視差画像を細線化処理することにより当該視差画像から対象物を抽出し、抽出した前記対象物上若しくは前記対象物の近辺で前記位置情報を移動させる
ことを特徴とする請求項１又は２に記載の画像表示装置。
【請求項４】
前記位置情報制御部は、前記視差画像群のうち少なくともひとつの視差画像におけるコントラストに基づいて当該視差画像から対象物を抽出し、抽出した前記対象物上若しくは前記対象物の近辺で前記位置情報を移動させる
ことを特徴とする請求項１又は２に記載の画像表示装置。
【請求項５】
３次元画像データを収集する収集部と、
前記３次元画像データから生成された視差画像群を用いて立体視画像を表示部に３次元表示するとともに、当該立体視画像において位置を指し示す位置情報を当該表示部に表示する表示制御部と、
前記位置情報を前記立体視画像において奥行き方向に移動する指示を操作者から受付けた場合に、前記視差画像群に含まれる各視差画像内の位置情報を、前記操作者から受付けた移動量に応じて各視差画像内で移動させる位置情報制御部と
を備えたことを特徴とする医用画像診断装置。
【発明の詳細な説明】
【技術分野】
【０００１】
本発明の実施形態は、画像表示装置及び医用画像診断装置に関する。
【背景技術】
【０００２】
従来、Ｘ線診断装置を用いた血管内治療においては、２名以上の医師で手技を進めることが多い。例えば、手術室内において複数名の医師が共同して手技を進めるケースや、トレーニング中の医師が手術室内において被検体の前に立ち、先輩医師が手術室の外で指導するケースなどがある。例えば、これらの医師は、個別に設けられたモニタ上で同じ画像を見ながら会話をし、合意しながら慎重に作業を進める。
【０００３】
例えば、これらの医師は、２Ｄモニタに表示された画像上で、所望の位置をカーソルで指し示すことで意思疎通を図る。例えば、血管の分岐点において、一方の医師が「この血管分岐の３ミリ先にステントを置こう」と指示する場合、医師は、２Ｄモニタに表示された画像上でカーソルを動かす。すると、２Ｄモニタに表示される画像は２次元であるため、画像においてカーソルが指し示す位置は一意に決まる。
【先行技術文献】
【特許文献】
【０００４】
【特許文献１】特開２００６−２３９２５３号公報
【発明の概要】
【発明が解決しようとする課題】
【０００５】
本発明が解決しようとする課題は、立体視画像において位置を指し示す位置情報を適切に表示することができる画像表示装置及び医用画像診断装置を提供することである。
【課題を解決するための手段】
【０００６】
実施形態の画像表示装置は、表示制御部と、位置情報制御部とを備える。表示制御部は、３次元画像データから生成された視差画像群を用いて立体視画像を表示部に３次元表示するとともに、当該立体視画像中において位置を指し示す位置情報を当該表示部に３次元表示する。位置情報制御部は、前記位置情報を前記立体視画像において奥行き方向に移動する指示を操作者から受付けた場合に、前記視差画像群に含まれる各視差画像内の位置情報を、前記操作者から受付けた移動量に応じて各視差画像内で移動させる。
【図面の簡単な説明】
【０００７】
【図１】図１は、第１の実施形態に係るＸ線診断装置の構成例を説明するための図である。
【図２】図２は、第１の実施形態に係る表示部を説明するための一例を示す図である。
【図３】図３は、第１の実施形態に係る表示部を説明するための別の一例を示す図である。
【図４】図４は、第１の実施形態に係る表示部を説明するための別の一例を示す図である。
【図５】図５は、第１の実施形態に係る位置情報制御部による処理動作の一例を示す図である。
【図６】図６は、第１の実施形態に係る位置情報制御部による処理動作の別の一例を示す図である。
【図７】図７は、第１の実施形態に係る位置情報制御部によるずらし量の制御動作の一例を示す図である。
【図８】図８は、第１の実施形態に係る位置情報制御部によるずらし量の制御動作の別の一例を示す図である。
【図９】図９は、第１の実施形態に係るＸ線診断装置による位置情報制御処理の手順を示すフローチャートである。
【図１０】図１０は、第２の実施形態に係る位置情報制御部による自動トレースする手法の一例を示す図である。
【図１１】図１１は、第２の実施形態に係るＸ線診断装置による位置情報制御処理の手順を示すフローチャートである。
【図１２】図１２は、位置情報が血管の分岐点に到達した場合の位置情報制御部の処理動作の一例を示すである。
【図１３】図１３は、コントラストの高い物体に自動フォーカスする機能を設定された場合の位置情報制御部の処理動作の一例を示す図である。
【図１４】図１４は、第２の実施形態に係るＸ線診断装置による位置情報制御処理の手順を示すフローチャートである。
【発明を実施するための形態】
【０００８】
以下、図面を参照して、実施形態に係る画像表示装置及び医用画像診断装置を説明する。
【０００９】
（第１の実施形態）
第１の実施形態においては、医用画像診断装置として、Ｘ線診断装置を例に挙げて説明する。図１は、第１の実施形態に係るＸ線診断装置１００の構成例を説明するための図である。図１に示すように、Ｘ線診断装置１００は、架台部１０と、計算機システム２０とを備える。図１に示すように、架台部１０は、寝台１１と、架台１２と、Ｃアーム１３と、Ｘ線源１４と、Ｘ線検出器１５と、表示部１６とを備える。なお、Ｘ線診断装置１００は、被検体Ｐを含まない。
【００１０】
寝台１１は、垂直方向及び水平方向に移動可能であり、被検体Ｐが載置される。架台１２は、Ｃアーム１３を支持する。Ｃアーム１３は、Ｚ軸を中心に矢印Ｒ方向に回転可能であり、Ｘ線源１４及びＸ線検出器１５を対向して保持する。Ｘ線源１４は、Ｘ線を照射するＸ線管球と、コリメータとを有する。Ｘ線検出器１５は、Ｘ線源１４から照射され、被検体Ｐを透過したＸ線を検出する。表示部１６は、立体視可能な画像などを表示する。なお、第１の実施形態においては、立体視可能な画像のことを「立体視画像」という。後述するように、立体視画像は、複数の視差画像が表示部１６に表示されることによって観察者（例えば、操作者）に立体的に認識される仮想的な画像のことである。
【００１１】
ここで、第１の実施形態に係る表示部１６は、操作者が画像を立体的に認識することができる３Ｄモニタである。例えば、表示部１６は、シャッター方式によって画像を３次元表示する。なお、図１中には表示部１６が１つである例を示すが、表示部１６の数は図１に図示した数に限定されるものではない。
【００１２】
図２は、第１の実施形態に係る表示部１６を説明するための一例を示す図である。図２は、隣り合う２人の操作者が個別に設けられた表示部１６をそれぞれ観察する場合を示す。なお、操作者には、医師や技師が含まれる。図２に示す表示部１６には、同一の画像が表示され、２人の操作者は、個別に設けられた表示部１６に表示される同一の画像を観察する。例えば、一方の医師が表示部１６を観察して他方の医師に指示を送り、指示を受けた医師が被検体Ｐに対して作業を行う。
【００１３】
図２に示すように、表示部１６を観察する医師は、Ｘ線防護メガネとの兼用が可能な立体視用メガネとして、シャッターメガネを装着する。この場合、表示部１６は、右眼用の画像（以下、右眼画像）と左眼用の画像（以下、左眼画像）とを、例えば１２０Ｈｚで交互に表示する。また、表示部１６は、赤外線出射部を有し、赤外線出射部は、右眼画像と左眼画像とを切り替えるタイミングに合わせて赤外線の出射を制御する。一方、シャッターメガネは、赤外線受光部を有し、赤外線受光部は、赤外線出射部から出射された赤外線を受光し、シャッターメガネの左右それぞれに取り付けられたシャッターの透過状態及び遮光状態を交互に切り替える。
【００１４】
なお、３Ｄモニタはシャッター方式に限られるものではなく、例えば偏光メガネ方式や、レンチキュラーレンズなどの光線制御子を用いることで裸眼による立体視が可能な方式などでもよい。
【００１５】
また、図３に示すように、２人の操作者が対面しながら、個別に設けられた表示部１６をそれぞれ観察するようにしてもよい。図３は、第１の実施形態に係る表示部１６を説明するための別の一例を示す図である。図３に示す例では、例えば、診療科の異なる医師２名が表示部１６を観察しながらそれぞれが独立して被検体Ｐに対して作業を行う。
【００１６】
また、図４に示すように、２人の操作者が異なる場所にいてもよい。図４は、第１の実施形態に係る表示部１６を説明するための別の一例を示す図である。図４に示す例では、別室にいる先輩医師が表示部１６を観察しながら、手術室にいる後輩医師に指示を出す。そして、手術室にいる後輩医師は、表示部１６を観察して先輩医師の指示を確認し、被検体Ｐに対して作業を行う。なお、別室と手術室とが同じ病院内に設けられていてもよい。また、手術室とは離れた遠隔地に別室を設けてもよい。
【００１７】
図１に戻り、計算機システム２０は、操作部２１と、医用画像データ記憶部２２と、制御部２３と、医用画像データ収集部２４と、Ｃアーム制御部２５と、視差画像群生成部２６と、表示制御部２７とを備える。
【００１８】
操作部２１は、コントロールパネル、フットスイッチ、ジョイスティック、マウス、キネクトなどであり、Ｘ線診断装置１００に対する各種操作の入力を操作者から受け付ける。具体的には、第１の実施形態に係る操作部２１は、３次元画像データなどの画像データの収集指示や、立体視画像の表示指示などを受け付ける。医用画像データ記憶部２２は、立体視画像の表示に用いられる３次元画像データなどを記憶する。制御部２３は、Ｘ線診断装置１００の全体制御を行う。
【００１９】
医用画像データ収集部２４は、３次元画像データなどの画像データを収集する。例えば、医用画像データ収集部２４は、３次元画像データの収集指示を受け付けると、Ｘ線源１４、Ｘ線検出装置１５、及びＣアーム制御部２５を制御し、３次元画像データを収集する。医用画像データ収集部２４は、収集した３次元画像データを医用画像データ記憶部２２に格納する。なお、第１の実施形態においては、Ｘ線診断装置１００のＣアーム１３を回転させることで３次元画像データを収集する例を説明したが、実施形態はこれに限られるものではなく、例えば、Ｘ線診断装置１００とは異なるＸ線ＣＴ（Computed  Tomography）装置によって予め収集された３次元画像データを用いてもよい。
【００２０】
視差画像群生成部２６は、３次元画像データから、視差画像群である右眼画像及び左眼画像を生成する。具体的には、視差画像群生成部２６は、視差画像群の生成指示を表示制御部２７から受け取ると、医用画像データ記憶部２２を参照し、予め収集された３次元画像データを取得する。そして、視差画像群生成部２６は、取得した３次元画像データから右眼画像及び左眼画像を生成し、生成した右眼画像及び左眼画像を表示制御部２７に送る。表示制御部２７は、操作部２１を介して立体視画像の表示指示を受け付けると、視差画像群の生成指示を視差画像群生成部２６に送り、生成された視差画像群を視差画像群生成部２６から受け取ると、この視差画像群を用いて立体視画像を表示部１６に３次元表示する。
【００２１】
このようにして表示制御部２７によって表示部１６に表示された立体視画像を見ながら操作者は作業を行う。ここで、操作者が２名以上である場合、奥行き方向にも物体が存在するため、見る角度や奥行きの認識距離の相違によっては、意思疎通を間違えるリスクがある。そこで、第１の実施形態に係る計算機システム２０では、立体視画像中に、立体視画像において位置を示す位置情報（例えば、矢印記号等で表現されるカーソル等）を表示する。具体的には、図１に示す表示制御部２７及び位置情報制御部２８が、この位置情報の表示を制御する処理を実行する。
【００２２】
表示制御部２７は、３次元画像データから生成された視差画像群を用いて立体視画像を表示部１６に３次元表示するとともに、立体視画像において位置を示す位置情報を表示部１６に３次元表示する。
【００２３】
位置情報制御部２８は、位置情報を立体視画像において奥行き方向に移動する指示を操作者から受付けた場合に、視差画像群に含まれる各視差画像内の位置情報を、操作者から受付けた移動量に応じて各視差画像内で移動させる。表示制御部２７は、位置情報制御部２８によって位置情報が移動された後の視差画像群を用いて、立体視可能な位置情報が重畳された立体視画像を表示部１６に３次元表示する。すると、操作者には、位置情報が、仮想的な立体視画像において奥行き方向に移動したように認識される。なお、位置情報制御部２８の詳細については後述する。
【００２４】
次に、図５を用いて、第１の実施形態に係る位置情報制御部２８による処理動作について説明する。図５は、第１の実施形態に係る位置情報制御部２８による処理動作の一例を示す図である。なお、図５において、左眼画像及び右眼画像それぞれには、立体視できるように若干ずらした状態で、血管が描出されている。図５に示すように、位置情報制御部２８は、操作部２１を介して立体視画像の表示指示を受け付けると、各視差画像内の所定の位置（例えば、初期の位置）に、位置情報を位置付ける。
【００２５】
図５に示す例では、位置情報制御部２８が、初期の位置として位置情報を基準点に表示する場合を説明する。ここで、「基準点」とは、立体視画像内で左右両眼による視差が生じない点であり、例えば、表示部１６の表示面上に位置付けられる。また、基準点が位置付けられる立体視画像上の面を「基準面」と呼ぶ。例えば、基準点の位置が表示部１６の表示面上である場合、基準面は、表示部１６の表示面に相当する。なお、基準点の位置は、表示部１６の表示面上に限定されるものではない。
【００２６】
図５に示すように、位置情報制御部２８は、左眼画像のＬ１の座標に位置情報を位置付け、右眼画像のＲ１の座標に位置情報を位置付ける。ここで、左眼画像のＬ１の座標は、右眼画像のＲ１の座標と同一である。すなわち、左眼画像と右眼画像との間にずらし量が発生しない。また、立体視画像において位置情報は、操作者の左眼を示すＬと座標Ｌ１とを結ぶ線と、操作者の右眼を示すＲと座標Ｒ１とを結ぶ線の交点に結像される。すなわち図５に示す立体視画像において位置情報は、基準点に結像される（図５の立体視画像において矢印の位置）。なお、位置情報制御部２８により初期の位置として位置付ける位置情報の位置は、図５に図示した位置に限定されるものではない。
【００２７】
次に、図６を用いて、第１の実施形態に係る位置情報制御部２８による処理動作について説明する。図６は、第１の実施形態に係る位置情報制御部２８による処理動作の別の一例を示す図である。図６は、基準点に結像された位置情報を基準点から奥行き方向の手前側に移動させる場合の一例を示す。
【００２８】
位置情報制御部２８は、図５に示した立体視画像において、奥行き方向の手前側へ位置情報を移動させる操作を操作者から受付けた場合、以下の処理を実行する。すなわち、位置情報制御部２８は、図６に示すように、左眼画像については、Ｌ１より右側の座標であるＬ２に位置情報を移動させる。また、位置情報制御部２８は、図６に示すように、右眼画像については、Ｒ１より左側の座標であるＲ２に位置情報を移動させる。これにより、右眼画像と左眼画像との間に位置情報のずらし量が発生する。この場合、立体視画像において位置情報は、奥行き方向の手前側へ移動する。また、立体視画像において位置情報は、操作者の左眼を示すＬと座標Ｌ２とを結ぶ線と、操作者の右眼を示すＲと座標Ｒ２とを結ぶ線の交点に結像される。すなわち図５に示す立体視画像において位置情報は、基準点よりも奥行き方向の手前側の位置に結像される（図６の立体視画像において矢印の位置）。
【００２９】
例えば、マウスの左右上下の動きは従来のしくみを残し、ホイールを動かすことにより、ずらし量を変えた位置情報が表示される。なお、位置情報の操作を受け付ける操作部２１は、マウスに限定されるものではなく、例えば、操作者のジェスチャーや音声を検知し、検知した内容に基づいて操作を受け付けるデバイスなどでもよい（例えば、奥行き方向の奥側へ位置情報を移動させる操作は、操作者が手で押し出すジェスチャーをすることで検知されるなど）。
【００３０】
このように、位置情報制御部２８が、例えば、右眼画像と左眼画像との間に位置情報のずらし量を生じさせ、表示制御部２７が、ずらし量が生じた後の右眼画像と左眼画像とを用いて立体視画像を３次元表示することで、位置情報は、立体視画像において奥行き方向に移動する。
【００３１】
ここで、位置情報制御部２８が右眼画像と左眼画像とに等しく位置情報のずらし量を生じさせた場合、位置情報は、位置情報を観察する操作者の視点位置と位置情報の座標とによっては奥行き方向の奥側又は手前側に移動せず、斜め方向に移動する場合がある。
【００３２】
このようなことから、第１の実施形態において、位置情報制御部２８は、操作者の視点位置と、操作者から受け付けた移動量と、各視差画像内において位置情報が位置付けられている座標とに基づいて、各視差画像内において位置情報の移動先となる座標を算出することで、適切なずらし量を求めている。なお、視点位置の検出は、公知の技術を用いて実現することができる。例えば、位置情報制御部２８は、カメラを有し、カメラによって撮影された画像と顔のモデル画像とのパターンマッチングにより、操作者が立っている位置（例えば、表示部１６との相対的な位置など）を特定することができる。図７及び図８を用いて、第１の実施形態に係る位置情報制御部２８によるずらし量の制御動作について説明する。また、図７及び図８では、操作者が表示部１６の正面に立っている場合を説明する。
【００３３】
図７は、第１の実施形態に係る位置情報制御部２８によるずらし量の制御動作の一例を示す図である。図７において、Ｌは操作者の左眼を示し、Ｒは操作者の右眼を示す。また、図７において、位置情報は、表示部１６の真ん中に位置付けられている。すなわち、位置情報は、操作者の左眼と操作者の右眼とのほぼ中央の基準点に位置付けられている。具体的には、位置情報制御部２８は、視差画像群生成部２６によって生成された左眼画像に対して、座標Ｌ１（Ｘ１，Ｙ１）に位置情報を位置付け、位置情報が座標Ｌ１（Ｘ１，Ｙ１）に位置付けられた新たな左眼画像を生成する。また、位置情報制御部２８は、視差画像群生成部２６によって生成された右眼画像に対して、座標Ｒ１（Ｘ１，Ｙ１）に位置情報を位置付け、位置情報が座標Ｒ１（Ｘ１，Ｙ１）に位置付けられた新たな右眼画像を生成する。この場合、右眼画像と左眼画像との間に位置情報のずらし量が発生しない。
【００３４】
ここで、基準面に位置付けられる位置情報を奥行き方向の手前側に移動させる場合について説明する。この場合、位置情報制御部２８は、奥行き方向の手前側で位置情報が結像される位置と左眼の視点位置とを結ぶ線上において、基準面と交差する座標Ｌ２に位置情報を移動させるとともに、奥行き方向の手前側で位置情報が結像される位置（図７において点線の円で示す）と右眼の視点位置とを結ぶ線上において、基準面と交差する座標Ｒ２に位置情報を移動させる。例えば、位置情報制御部２８は、操作者の視点位置を検出する。また、位置情報制御部２８は、操作者から受付けた移動量に対応する移動後の位置情報が結像される位置を求める。続いて、位置情報制御部２８は、検出した視点位置と、立体視画像の仮想空間内で移動後の位置情報が結像される位置とを結ぶ直線上において、基準面と交差する座標を求める。そして、位置情報制御部２８は、各視差画像に対して、求めた座標に位置情報を位置付けるように制御する。例えば、位置情報制御部２８は、現在の左眼画像に対して、座標Ｌ２（Ｘ１＋ΔＸ，Ｙ１）に位置情報を位置付け、位置情報が座標Ｌ２（Ｘ１＋ΔＸ，Ｙ１）に位置付けられた新たな左眼画像を生成する。また、位置情報制御部２８は、現在の右眼画像に対して、座標Ｒ２（Ｘ１−ΔＸ，Ｙ１）に位置情報を位置付け、位置情報が座標Ｒ２（Ｘ１−ΔＸ，Ｙ１）に位置付けられた新たな右眼画像を生成する。この場合、右眼画像と左眼画像との間に位置情報のずらし量が発生する。したがって、仮想的な立体視画像において位置情報は基準面から手前側に移動する。
【００３５】
続いて、基準面に位置付けられる位置情報を奥行き方向の奥側に移動させる場合について説明する。この場合、位置情報制御部２８は、奥行き方向の奥側で位置情報が結像される位置と左眼の視点位置とを結ぶ線上において、基準面と交差する座標Ｌ３に位置情報を移動させるとともに、奥行き方向の奥側で位置情報が結像される位置と右眼の視点位置とを結ぶ線上において、基準面と交差する座標Ｒ３に位置情報を移動させる。例えば、位置情報制御部２８は、現在の左眼画像に対して、座標Ｌ３（Ｘ１−ΔＸ´，Ｙ１）に位置情報を位置付け、位置情報が座標Ｌ３（Ｘ１−ΔＸ´，Ｙ１）に位置付けられた新たな左眼画像を生成する。また、位置情報制御部２８は、現在の右眼画像に対して、座標Ｒ３（Ｘ１＋ΔＸ´，Ｙ１）に位置情報を位置付け、位置情報が座標Ｒ３（Ｘ１＋ΔＸ´，Ｙ１）に位置付けられた新たな右眼画像を生成する。この場合、右眼画像と左眼画像との間に位置情報のずらし量が発生する。したがって、仮想的な立体視画像において位置情報は基準面から奥側に移動する。
【００３６】
図８は、第１の実施形態に係る位置情報制御部２８によるずらし量の制御動作の別の一例を示す図である。図８において、Ｌは操作者の左眼を示し、Ｒは操作者の右眼を示す。また、図８において、位置情報は、表示部１６の右眼よりに位置付けられている。すなわち、位置情報は、操作者の右眼の延長線上に位置付けられている。具体的には、位置情報制御部２８は、視差画像群生成部２６によって生成された左眼画像に対して、座標Ｌ１（Ｘ１＋ΔＸ，Ｙ１）に位置情報を位置付け、位置情報が座標Ｌ１（Ｘ１＋ΔＸ，Ｙ１）に位置付けられた新たな左眼画像を生成する。また、位置情報制御部２８は、視差画像群生成部２６によって生成された右眼画像に対して、座標Ｒ１（Ｘ１＋ΔＸ，Ｙ１）に位置情報を位置付け、位置情報が座標Ｒ１（Ｘ１＋ΔＸ，Ｙ１）に位置付けられた新たな右眼画像を生成する。この場合、右眼画像と左眼画像との間に位置情報のずらし量が発生しない。
【００３７】
ここで、基準面に位置付けられる位置情報を奥行き方向の手前側に移動させる場合について説明する。この場合、位置情報制御部２８は、奥行き方向の手前側で位置情報が結像される位置（図８において点線の円で示す）と左眼の視点位置とを結ぶ線上において、基準面と交差する座標Ｌ２に位置情報を移動させるとともに、奥行き方向の手前側で位置情報が結像される位置と右眼の視点位置とを結ぶ線上において、基準面と交差する座標Ｒ２に位置情報を移動させる。例えば、位置情報制御部２８は、現在の左眼画像に対して、座標Ｌ２（Ｘ１＋ΔＸ＋α，Ｙ１）に位置情報を位置付け、位置情報が座標Ｌ２（Ｘ１＋ΔＸ＋α，Ｙ１）に位置付けられた新たな左眼画像を生成する。また、位置情報制御部２８は、現在の右眼画像に対しては、位置情報を変更しない（座標Ｒ２は、座標Ｒ１と同一である）。この場合、右眼画像と左眼画像との間に位置情報のずらし量が発生する。したがって、仮想的な立体視画像において位置情報は基準面から手前側に移動する。
【００３８】
続いて、基準面に位置付けられる位置情報を奥行き方向の奥側に移動させる場合について説明する。この場合、位置情報制御部２８は、奥行き方向の奥側で位置情報が結像される位置と左眼の視点位置とを結ぶ線上において、基準面と交差する座標Ｌ３に位置情報を移動させるとともに、奥行き方向の奥側で位置情報が結像される位置と右眼の視点位置とを結ぶ線上において、基準面と交差する座標Ｒ３に位置情報を移動させる。例えば、位置情報制御部２８は、現在の左眼画像に対して、座標Ｌ３（Ｘ１＋ΔＸ−α，Ｙ１）に位置情報を位置付け、位置情報が座標Ｌ３（Ｘ１＋ΔＸ−α，Ｙ１）に位置付けられた左眼画像を生成する。また、位置情報制御部２８は、現在の右眼画像に対しては、位置情報を変更しない（座標Ｒ３は、座標Ｒ１と同一である）。この場合、右眼画像と左眼画像との間に位置情報のずらし量が発生する。したがって、仮想的な立体視画像において位置情報は基準面から奥側に移動する。
【００３９】
このように、第１の実施形態において、位置情報制御部２８は、操作者の視点位置と、操作者から受け付けた移動量とに基づいて、各視差画像内において位置情報の移動先となる座標を算出するので、適切なずらし量を求めることができる。なお、第１の実施形態においては、操作者の視点位置を検出して上記処理を行う例を説明したが、実施形態はこれに限られるものではない。例えば、操作者が表示部１６の正面に立っていると仮定することにより、位置情報制御部２８は、操作者の視点位置を検出せずに、適切なずらし量を求めることができる。
【００４０】
次に、図９を用いて、第１の実施形態に係るＸ線診断装置１００による位置情報制御処理の手順について説明する。図９は、第１の実施形態に係るＸ線診断装置１００による位置情報制御処理の手順を示すフローチャートである。図９に示すように、第１の実施形態に係るＸ線診断装置１００は、奥行き方向の操作を操作者から受付けたか否かを判定する（ステップＳ１０１）。
【００４１】
第１の実施形態に係るＸ線診断装置１００は、奥行き方向の操作を操作者から受付けたと判定した場合（ステップＳ１０１、Ｙｅｓ）、操作者の視点位置を取得する（ステップＳ１０２）。
【００４２】
また、第１の実施形態に係るＸ線診断装置１００は、操作者から受付けた移動量に対応する移動後の位置情報が結像される位置を算出する（ステップＳ１０３）。例えば、第１の実施形態に係るＸ線診断装置１００は、操作者から受付けた移動量に応じて、位置情報を奥行き方向の手前側に移動させた場合に位置情報が結像される位置或いは位置情報を奥行き方向の奥側に移動させた場合に位置情報が結像される位置を算出する。
【００４３】
続いて、第１の実施形態に係るＸ線診断装置１００は、検出した視点位置と移動後の位置情報が結像される位置とを結ぶ直線上において、基準面と交差する座標を求める（ステップＳ１０４）。そして、位置情報制御部２８は、求めた座標に位置情報を位置付けた各視差画像を生成する（ステップＳ１０５）。例えば、第１の実施形態に係るＸ線診断装置１００は、求めた座標に位置情報を移動させた左眼画像及び右眼画像を生成する。
【００４４】
第１の実施形態に係るＸ線診断装置１００は、ステップＳ１０３の処理の終了後、位置情報制御処理を終了する。なお、第１の実施形態に係るＸ線診断装置１００は、奥行き方向の操作を操作者から受付けたと判定しなかった場合（ステップＳ１０１、Ｎｏ）、引き続き、ステップＳ１０１の判定を繰り返す。
【００４５】
（第１の実施形態の効果）
上述したように、第１の実施形態によれば、位置情報を奥行き方向に移動する指示を操作者から受付けた場合に、視差画像群に含まれる各視差画像内の位置情報を、操作者から受付けた移動量に応じて各視差画像内で移動させることで、立体視画像において、位置情報を奥行き方向に移動させる。これにより、第１の実施形態によれば、立体視画像において位置を指し示す位置情報を適切に表示することができる。そして、操作者は、上下左右方向のみならず、奥行き方向についても、位置情報が指し示す位置を正しく認識することができる。
【００４６】
また、第１の実施形態によれば、操作者の視点位置と、操作者から受け付けた移動量と、各視差画像内において位置情報が位置付けられている座標とに基づいて、各視差画像内において位置情報の移動先となる座標を算出することで、適切なずらし量を求めている。これにより、第１の実施形態によれば、立体視画像において、位置情報を奥行き方向に適切に移動させることができる。
【００４７】
（第２の実施形態）
第１の実施形態では、操作者による操作に従って位置情報を移動させる例を説明した。ところで、例えば、血管内治療を想定した場合、操作者は、血管やステントを指し示す機会が多いと考えられる。ここで、操作者が、血管やステントを指し示しながら奥行き方向へ位置情報を移動させようとした場合、２段階の操作を行うと考えられる。例えば、位置情報を奥行き方向に移動させる第１の段階と、位置情報を奥行き方向に移動させた後に左右方向に位置情報を移動させる第２の段階である。このようなことから、第２の実施形態においては、血管やステント等の対象物に沿って位置情報を移動させる手法を説明する。なお、対象物に沿って位置情報を移動させる手法として、「自動トレースする手法Ａ１」と、「コントラストの高い物体に自動フォーカスする手法Ａ２」とがある。
【００４８】
（自動トレースする手法Ａ１）
血管内治療においては、細い血管や、カテーテル、ワイヤ、リード、ステント等の細いデバイスを表示する場合が多い。このため、操作者は、血管やデバイスに沿って位置情報を動かす操作を行うことがある。そこで、第２の実施形態に係る位置情報制御部２８は、血管やデバイスを自動的にトレースする機能を更に有する。
【００４９】
第２の実施形態に係る位置情報制御部２８は、例えば、視差画像群に対して、線画像の線幅を１画素にする細線化処理を行う。続いて、第２の実施形態に係る位置情報制御部２８は、細線化した視差画像群において、細線化された画素上（若しくはその近辺を含む）に動きを限定し、マウスの操作を受付ける。そして、第２の実施形態に係る位置情報制御部２８は、受付けた移動量に応じて血管に沿って奥行き方向に位置情報を移動させる。なお、第２の実施形態に係る位置情報制御部２８は、視差画像群間の座標を対応付けた情報をパターンマッチングにより予め生成し保持する。例えば、左眼画像及び右眼画像それぞれに、立体視できるように若干ずらした状態で血管が描出されているとする。かかる場合、左眼画像と右眼画像との間でパターンマッチングすることで、左眼画像に描出された血管上のある位置を、右眼画像に描出された血管上で特定することができる。すなわち、左眼画像と右眼画像との間で座標を対応付けることができる。なお、第２の実施形態に係る位置情報制御部２８は、右眼画像に描出された血管上のある位置を、左眼画像に描出された血管上で特定してもよい。
【００５０】
図１０を用いて第２の実施形態に係る位置情報制御部２８による自動トレースする手法の具体例を説明する。図１０は、第２の実施形態に係る位置情報制御部２８による自動トレースする手法の一例を示す図である。図１０に示すように、第２の実施形態に係る位置情報制御部２８は、左眼画像及び右眼画像を細線化する。そして、第２の実施形態に係る位置情報制御部２８は、例えば、左眼画像のＬ１に位置情報を位置付けた左眼画像を生成し、右眼画像のＲ１に位置情報を位置付けた右眼画像を生成する。ここで、左眼画像のＬ１と右眼画像のＲ１とが同じ位置を指し示す。そして、第２の実施形態に係る位置情報制御部２８は、受付けた移動量に応じて、左眼画像の位置情報と右眼画像の位置情報とが同じ位置を指し示しながら、奥行き方向に位置情報を移動させた画像を生成する。
【００５１】
例えば、第２の実施形態に係る位置情報制御部２８は、図１０に示す立体視画像において、位置情報を手前側に移動する操作を操作者から受付けた場合、位置情報を図１０中のＡ方向に血管中心線に沿って移動させた画像を生成する。具体的には、第２の実施形態に係る位置情報制御部２８は、左眼画像において、操作者から受付けた移動量に応じて求めた座標Ｌ２に位置情報を位置付ける。続いて、第２の実施形態に係る位置情報制御部２８は、左眼画像の座標Ｌ２と対応する右眼画像の座標Ｒ２をパターンマッチングによって特定する。そして第２の実施形態に係る位置情報制御部２８は、右眼画像において座標Ｒ２に位置情報を位置付ける。また、第２の実施形態に係る位置情報制御部２８は、図１０に示す立体視画像において、位置情報を奥側に移動する操作を操作者から受付けた場合、位置情報を図１０中のＢ方向に血管中心線に沿って移動させた画像を生成する。具体的には、第２の実施形態に係る位置情報制御部２８は、左眼画像において、操作者から受付けた移動量に応じて求めた座標Ｌ３に位置情報を位置付ける。続いて、第２の実施形態に係る位置情報制御部２８は、左眼画像の座標Ｌ３と対応する右眼画像の座標Ｒ３をパターンマッチングによって特定する。そして、第２の実施形態に係る位置情報制御部２８は、右眼画像において座標Ｒ３に位置情報を位置付ける。
【００５２】
また、第２の実施形態に係る位置情報制御部２８は、例えば血管の分岐点等においては、操作者からマウスを左右上下方向に動かす操作を受付けることによって、いずれの血管に沿って位置情報を動かすかを判定する。例えば、第２の実施形態に係る位置情報制御部２８は、血管の分岐点Ｘに到達した場合、マウスを右方向へ動かす操作を受付けたと判定するとＣ方向へ位置情報を移動した画像を生成し、マウスを下方向へ動かす操作を受付けたと判定するとＤ方向へ位置情報を移動した画像を生成する。
【００５３】
次に、図１１を用いて、第２の実施形態に係るＸ線診断装置１００による位置情報制御処理の手順について説明する。図１１は、第２の実施形態に係るＸ線診断装置１００による位置情報制御処理の手順を示すフローチャートである。
【００５４】
図１１に示すように、第２の実施形態に係るＸ線診断装置１００は、トレースモードの設定を受付けたか否かを判定する（ステップＳ２０１）。そして、第２の実施形態に係るＸ線診断装置１００は、トレースモードの設定を受付けたと判定した場合（ステップＳ２０１、Ｙｅｓ）、視差画像群に対して細線化処理を行う（ステップＳ２０２）。これにより第２の実施形態に係るＸ線診断装置１００は、例えば、視差画像群から血管を抽出する。なお、第２の実施形態に係るＸ線診断装置１００は、トレースモードの設定を受付けたと判定しなかった場合（ステップＳ２０１、Ｎｏ）、ステップＳ２０１の判定を繰り返す。
【００５５】
そして、第２の実施形態に係るＸ線診断装置１００は、奥行き方向の操作を操作者から受付ける（ステップＳ２０３）。続いて、第２の実施形態に係るＸ線診断装置１００は、受付けた移動量に応じて対象物に沿って位置情報を移動させた画像を生成する（ステップＳ２０４）。例えば、第２の実施形態に係るＸ線診断装置１００は、奥行き方向の奥側への操作を受付けた場合、対象物に沿って位置情報を奥行き方向の奥側へ移動させた画像を生成する。また、例えば、第２の実施形態に係るＸ線診断装置１００は、奥行き方向の手前側への操作を受付けた場合、対象物に沿って位置情報を奥行き方向の手前側へ移動させた画像を生成する。
【００５６】
第２の実施形態に係るＸ線診断装置１００は、分岐点に到達したか否かを判定する（ステップＳ２０５）。例えば、第２の実施形態に係るＸ線診断装置１００は、対象物が血管である場合、血管の分岐点に到達したか否かを判定する。
【００５７】
第２の実施形態に係るＸ線診断装置１００は、分岐点に到達したと判定した場合（ステップＳ２０５、Ｙｅｓ）、操作者からの選択を受付ける（ステップＳ２０６）。例えば、第２の実施形態に係るＸ線診断装置１００は、血管の分岐点に到達した場合、マウスを左右上下のいずれかに動かす操作を操作者から受付け、受付けた方向に分岐する血管に位置情報を移動させた画像を生成する。
【００５８】
第２の実施形態に係るＸ線診断装置１００は、分岐点に到達したと判定しなかった場合（ステップＳ２０５、Ｎｏ）、あるいはステップＳ２０６の終了後、操作の終了を受付けたか否かを判定する（ステップＳ２０７）。第２の実施形態に係るＸ線診断装置１００は、操作の終了を受付けたと判定しなかった場合（ステップＳ２０７、Ｎｏ）、ステップＳ２０３に移行する。
【００５９】
一方、第２の実施形態に係るＸ線診断装置１００は、操作の終了を受付けたと判定した場合（ステップＳ２０７、Ｙｅｓ）、トレースモードでの処理を終了する。第２の実施形態に係るＸ線診断装置１００は、トレースモードでの処理が終了後、第１の実施形態に係るＸ線診断装置１００と同様の処理を行う。すなわち、第２の実施形態に係るＸ線診断装置１００は、立体視画像において位置情報を奥行き方向に移動する指示を操作者から受付けた場合に、視差画像群に含まれる各画像の位置情報を、操作者から受付けた移動量に応じて各画像内で移動させる。
【００６０】
（自動トレースする手法Ａ１の変形例）
第２の実施形態に係る位置情報制御部２８は、例えば血管の分岐点においては、操作が可能な血管の候補をポップアップ表示し、表示した血管の候補の中から操作者から選択された血管に沿って位置情報を動かすようにしてもよい。
【００６１】
図１２を用いて位置情報が血管の分岐点に到達した場合の位置情報制御部２８の処理動作の一例を示す。図１２は、位置情報が血管の分岐点に到達した場合の位置情報制御部２８の処理動作の一例を示す図である。図１２に示す立体視画像において、位置情報が血管の分岐点Ｘに到達した場合、第２の実施形態に係る位置情報制御部２８は、「右クリック」及び「左クリック」をポップアップ表示する。そして、第２の実施形態に係る位置情報制御部２８は、操作者から右クリックの操作を受付けた場合、位置情報を図１２中のＡ方向に血管中心線に沿って移動させる。また、第２の実施形態に係る位置情報制御部２８は、操作者から左リックの操作を受付けた場合、位置情報を図１２中のＢ方向に血管中心線に沿って移動させる。
【００６２】
また、第２の実施形態に係る位置情報制御部２８は、例えば血管の分岐点においては、候補となる血管の色を変えて表示するようにしてもよい。
【００６３】
また、第２の実施形態に係る位置情報制御部２８は、例えば血管の分岐点においては、いずれかの血管を選択し、選択した血管に沿うように位置情報を移動してもよい。なお、この場合、第２の実施形態に係る位置情報制御部２８は、操作者が観察対象とする血管とは異なる血管を選択した場合、操作者から観察対象とする血管を受付ける。
【００６４】
また、第２の実施形態に係る位置情報制御部２８は、細線化処理によって血管やデバイスを視差画像群から抽出する場合を説明したが、２値化処理によって血管やデバイスを視差画像群から抽出してもよい。
【００６５】
このように第２の実施形態に係る位置情報制御部２８は、細線化によって抽出した血管に沿って（血管中心線に沿って）位置情報を視差画像内で移動させる。これにより、操作者は、血管に沿って位置情報を奥行き方向へ移動する操作を容易に行うことができる。
【００６６】
（コントラストの高い物体に自動フォーカスする手法Ａ２）
血管造影画像でもステント等のデバイスの画像でも、多くはフラットに近い背景に、コントラストの高い長細い物体が写っている画像が多い。そこで、第２の実施形態に係る位置情報制御部２８は、コントラストの高い物体に自動フォーカスする手法Ａ２において、近くのコントラストの高い物体（血管）に自動的に奥行きが合うようにする機能を更に有する。
【００６７】
例えば、第２の実施形態に係る位置情報制御部２８は、コントラストの高い物体に自動フォーカスする機能を設定された場合、視差画像群においてコントラストの高い物体（血管やデバイス）に位置情報を自動調整する。そして、第２の実施形態に係る位置情報制御部２８は、マウスの操作を操作者から受付け、受付けた移動量に応じて血管やデバイスに沿って奥行き方向に位置情報を移動させる。なお、第２の実施形態に係る位置情報制御部２８は、視差画像群間の座標を対応付けた情報をパターンマッチングにより予め生成し保持する。
【００６８】
図１３を用いて、コントラストの高い物体に自動フォーカスする機能を設定された場合の位置情報制御部２８の処理動作を説明する。図１３は、コントラストの高い物体に自動フォーカスする機能を設定された場合の位置情報制御部２８の処理動作の一例を示す図である。図１３は、血管造影剤を投与後の心臓冠状動脈を撮影した視差画像群を示す。
【００６９】
図１３に示すように、第２の実施形態に係る位置情報制御部２８は、コントラストの高い物体に自動フォーカスする機能を設定された場合、視差画像内の画像値に基づいてコントラストを判定し、血管造影剤の投与によって視差画像内でコントラストの高い血管に位置情報を合わせる。例えば、第２の実施形態に係る位置情報制御部２８は、操作者によって最初に置かれた位置情報から最も近い左眼画像のＬ１に位置情報を位置付けた左眼画像を生成するとともに、右眼画像のＲ１に位置情報を位置付けた右眼画像を生成する。ここで、左眼画像のＬ１と右眼画像のＲ１とが同じ位置を指し示す。そして、第２の実施形態に係る位置情報制御部２８は、受付けた移動量に応じて、左眼画像の位置情報と右眼画像の位置情報とが同じ位置を指し示しながら、奥行き方向に位置情報を移動させた画像を生成する。
【００７０】
図１３に示す立体視画像において、位置情報を手前側に移動する操作を操作者から受付けた場合、位置情報を図１３中のＡ方向に血管中心線に沿って移動させた画像を生成する。具体的には、第２の実施形態に係る位置情報制御部２８は、左眼画像において、操作者から受付けた移動量に応じて求めた座標Ｌ２に位置情報を位置付ける。続いて、第２の実施形態に係る位置情報制御部２８は、左眼画像の座標Ｌ２と対応する右眼画像の座標Ｒ２をパターンマッチングによって特定する。そして第２の実施形態に係る位置情報制御部２８は、右眼画像において座標Ｒ２に位置情報を位置付ける。また、第２の実施形態に係る位置情報制御部２８は、図１３に示す立体視画像において、位置情報を奥側に移動する操作を操作者から受付けた場合、位置情報を図１３中のＢ方向に血管中心線に沿って移動させた画像を生成する。具体的には、第２の実施形態に係る位置情報制御部２８は、左眼画像において、操作者から受付けた移動量に応じて求めた座標Ｌ３に位置情報を位置付ける。続いて、第２の実施形態に係る位置情報制御部２８は、左眼画像の座標Ｌ３と対応する右眼画像の座標Ｒ３をパターンマッチングによって特定する。そして、第２の実施形態に係る位置情報制御部２８は、右眼画像において座標Ｒ３に位置情報を位置付ける。
【００７１】
また、第２の実施形態に係る位置情報制御部２８は、コントラストの高い物体から位置情報が離れそうになった場合、位置情報の移動範囲をコントラストの高い物体に制限する。
【００７２】
次に、図１４を用いて、第２の実施形態に係るＸ線診断装置１００による位置情報制御処理の手順について説明する。図１４は、第２の実施形態に係るＸ線診断装置１００による位置情報制御処理の手順を示すフローチャートである。
【００７３】
図１４に示すように、第２の実施形態に係るＸ線診断装置１００は、コントラストの高い物体に自動フォーカスする機能の設定を受付けたか否かを判定する（ステップＳ３０１）。そして、第２の実施形態に係るＸ線診断装置１００は、コントラストの高い物体に自動フォーカスする機能の設定を受付けたと判定した場合（ステップＳ３０１、Ｙｅｓ）、コントラストの判定を行う（ステップＳ３０２）。例えば、第２の実施形態に係るＸ線診断装置１００は、視差画像群から血管やステント等のデバイスを抽出する。なお、第２の実施形態に係るＸ線診断装置１００は、コントラストの高い物体に自動フォーカスする機能の設定を受付けたと判定しなかった場合（ステップＳ３０１、Ｎｏ）、ステップＳ３０１の判定を繰り返す。なお、ステップＳ３０３からステップＳ３０７の処理手順は、図１２に示したステップＳ２０３からステップＳ２０７の処理手順と同様であるので、詳細な説明は省略する。
【００７４】
このように第２の実施形態に係る位置情報制御部２８は、コントラストに基づいて抽出した血管に沿って（血管中心線に沿って）位置情報を視差画像内で移動させる。これにより、操作者は、血管に沿って位置情報を奥行き方向へ移動する操作を容易に行うことができる。
【００７５】
上述したように、第２の実施形態によれば、血管やステント等の対象物に沿って位置情報を奥行き方向に移動することができる。
【００７６】
（第３の実施形態）
図４に示したように、手術室とは離れた場所にいる医者や技師が、モニタを操作することで手術室にいる医師が観察するモニタに指示を出す場合がある。また、手術室にいる医師が観察するモニタに３Ｄモニタを使用する場合であっても、手術室とは離れた場所にいる医者や技師が使用するモニタに２Ｄモニタを使用する場合がある。そこで、第３の実施形態として、手術室とは離れた場所にいる医者や技師が２Ｄモニタを使用する場合に、手術室にいる医師が使用する３Ｄモニタに位置情報を指示する例を示す。
【００７７】
第３の実施形態に係る位置情報制御部２８は、別室に設置された２Ｄモニタを見ている技師がマウスを操作して視差画像群中に位置情報を指定すると、手術室に設置された３Ｄモニタに表示される立体視画像に自動的に位置情報を表示する。視差画像群が右眼画像と左眼画像との２枚である場合を例に説明する。
【００７８】
例えば、第３の実施形態に係る位置情報制御部２８は、右眼画像において対象物のある位置を指し示すように位置情報を移動させる操作を別室にいる操作者から受付けた場合、パターンマッチングによって左眼画像において対応する位置に位置情報を移動させる。この結果、第３の実施形態に係る位置情報制御部２８は、手術室に設置された３Ｄモニタにおいて位置情報を、２Ｄモニタで指定された位置に移動させて表示する。すなわち、第３の実施形態に係る位置情報制御部２８は、対象物のある位置を指し示すように位置情報が位置付けられた右眼画像と、対象物のある位置を指し示すように位置情報が位置付けられた左眼画像とを用いて、手術室に設置された３Ｄモニタに、立体視画像において対象物のある位置を指し示すように位置付けられた位置情報を表示する。なお、第３の実施形態に係る位置情報制御部２８は、左眼画像において対象物のある位置を指し示すように位置情報を移動させる操作を別室にいる操作者から受付けた場合、パターンマッチングによって右眼画像において対応する位置に位置情報を移動させてもよい。また、第３の実施形態に係る位置情報制御部２８は、パターンマッチングを行わず、右眼画像において対象物のある位置を指し示すように位置情報を移動させる操作と左眼画像において対象物のある位置を指し示すように位置情報を移動させる操作とを操作者から受付けてもよい。
【００７９】
また、第３の実施形態に係る位置情報制御部２８は、第２の実施形態で説明した「自動トレースする手法Ａ１」と、「コントラストの高い物体に自動フォーカスする手法Ａ２」とを併用することが可能である。例えば、第３の実施形態に係る位置情報制御部２８は、別室に設置された２Ｄモニタを観察している操作者からトレースモードの設定を受付けた場合、視差画像群を細線化して別室の２Ｄモニタに表示する。そして、第３の実施形態に係る位置情報制御部２８は、視差画像群において位置情報を対象物のある位置を指し示すように移動させる操作を別室にいる操作者から受付けた場合、手術室に設置された３Ｄモニタにおいて位置情報を、２Ｄモニタで指定された位置に移動させて表示する。また、第３の実施形態に係る位置情報制御部２８は、手術室にいる操作者から位置情報を動かす操作を受付けた場合、対象物の近辺で位置情報を移動させる。
【００８０】
また、第３の実施形態に係る位置情報制御部２８は、別室に設置された２Ｄモニタを観察している操作者からコントラストの高い物体に自動フォーカスする設定を受付けた場合、視差画像群においてコントラストの高い物体（血管やデバイス）に位置情報を自動調整する。そして、第３の実施形態に係る位置情報制御部２８は、別室にいる操作者から対象物のある位置を指し示すように移動させて位置情報を表示する操作を受付けた場合、手術室に設置された３Ｄモニタにおいて位置情報を、２Ｄモニタで指定された位置に移動させて表示する。
【００８１】
上述したように、第３の実施形態によれば、手術室とは離れた場所にいる医者や技師が２Ｄモニタを使用する場合に、手術室にいる医師が使用する３Ｄモニタに位置情報を指示することができる。
【００８２】
また、第２の実施形態では、血管に沿って移動させる例を説明したが、血管に限らず、他の器官等に沿って移動させてもよい。
【００８３】
Ｘ線診断装置１００が表示する立体視画像の位置情報を移動させる例を説明したが、実施形態はこれに限定されるものではない。例えば、超音波診断装置、Ｘ線ＣＴ装置、ＭＲＩ（Magnetic  Resonance  Imaging）等の医用画像診断装置は、自装置が収集した３次元画像データを用いて立体視画像を表示する際に、立体視画像の位置情報を移動させてもよい。また、医用画像診断装置は、自装置が収集した３次元画像データを画像表示装置に転送してもよい。すなわち、医用画像診断装置は、３次元画像データを収集する。そして、医用画像診断装置は、３次元画像データから生成された視差画像群を用いて立体視画像を表示部に３次元表示するとともに、立体視画像中における位置を示す位置情報を表示部に表示する。続いて、医用画像診断装置は、立体視画像において位置情報を奥行き方向に移動する指示を操作者から受付けた場合に、視差画像群に含まれる各画像の位置情報を、操作者から受付けた移動量に応じて各視差画像内で移動させることで、位置情報を表示部において奥行き方向に移動させる。これにより、医用画像診断装置は、立体視画像において位置を指し示す位置情報を適切に表示することができる。
【００８４】
また、画像表示装置は、３次元画像データから生成された視差画像群を用いて立体視画像を表示部に３次元表示するとともに、立体視画像中における位置を示す位置情報を表示部に表示する。例えば、画像表示装置は、医用画像診断装置により収集された３次元医用画像データから生成された視差画像群を用いて立体視画像を表示部に３次元表示するとともに、立体視画像中における位置を示す位置情報を表示部に表示する。そして、画像表示装置は、立体視画像において位置情報を奥行き方向に移動する指示を操作者から受付けた場合に、視差画像群に含まれる各画像の位置情報を、操作者から受付けた移動量に応じて各視差画像内で移動させることで、位置情報を表示部において奥行き方向に移動させる。これにより、画像表示装置は、立体視画像において位置を指し示す位置情報を適切に表示することができる。なお、３次元画像データは、医用画像診断装置により収集された３次元医用画像データに限定されるものではなく、医療用以外の画像データでもよい。
【００８５】
以上述べた少なくとも一つの実施形態の画像表示装置及び医用画像診断装置によれば、立体視画像において位置を指し示す位置情報を適切に表示することができる。
【００８６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８７】
２７  表示制御部
２８  位置情報制御部
１００  Ｘ線診断装置
【図１】
2014113325.tif 000003
【図２】
2014113325.tif 000004
【図３】
2014113325.tif 000005
【図４】
2014113325.tif 000006
【図５】
2014113325.tif 000007
【図６】
2014113325.tif 000008
【図７】
2014113325.tif 000009
【図８】
2014113325.tif 000010
【図９】
2014113325.tif 000011
【図１０】
2014113325.tif 000012
【図１１】
2014113325.tif 000013
【図１２】
2014113325.tif 000014
【図１３】
2014113325.tif 000015
【図１４】
2014113325.tif 000016